【事件の表示】
　特願２００２−３２７４３４「ディスク記録システム、ディスク記録装置、タイトル名入力・修正装置」拒絶査定不服審判事件〔平成１５年７月４日出願公開、特開２００３−１８７５５９〕について、次のとおり審決する。
【結　論】
　本件審判の請求は、成り立たない。
【理　由】
第１　手続の経緯
　
　本願は、平成８年６月６日に出願された特願平８−１６８６０８号の一部を分割して平成１４年１１月１１日に新たな特許出願としたものであって、平成１７年４月８日付けで通知した拒絶理由に対して同年６月１３日付けで手続補正がなされたが、同年１２月２０日付けで拒絶査定がなされ、これに対し、平成１８年１月２６日に拒絶査定不服審判が請求されるとともに、同日付けで明細書について手続補正がなされたものである。
　
　
第２　平成１８年１月２６日付けの手続補正についての補正却下の決定
　
〔補正却下の決定の結論〕
　平成１８年１月２６日付けの手続補正（以下、「本件補正」という。）を却下する。
　
〔理　由〕
１．本件補正の内容と本願補正発明
　本件補正は、明細書の、特許請求の範囲及び発明の詳細な説明についてするものである。
　特許請求の範囲については、本件補正前に、
「【請求項１】
　トラック別の記録情報をトラック別のタイトル名とともにディスク記録媒体に記録するディスク記録装置と、タイトル名を入力・修正するタイトル名入力・修正装置とからなるディスク記録システムであって、
　前記タイトル名入力・修正装置は、
　トラック別のタイトル名の入力・修正操作をするキーボードと、
　キーボードにより入力・修正されたタイトル名を記憶するタイトル名メモリと、
　前記タイトル名メモリに記憶されたトラック別のタイトル名を少なくとも複数一覧表示する表示部と、
　ディスク記録装置の側から入力されたトラック別のタイトル名をタイトル名メモリに記憶させたり、タイトル名の入力・修正後にタイトル名メモリに記憶されたトラック別のタイトル名をディスク記録装置の側へ出力したりする処理部と、
　を備え、
　前記ディスク記録装置は、
　前記ディスク記録媒体から読み出したトラック別のタイトル名が記憶され、タイトル名が入力・修正された場合には前記タイトル名入力・修正装置から出力された入力・修正後のトラック別のタイトル名を記憶するトラック別タイトル名記憶用メモリと、
　前記タイトル名入力・修正装置によるタイトル名の入力・修正操作に先立って、前記ディスク記録媒体から読み出して前記トラック別タイトル名記憶用メモリに記憶されたトラック別のタイトル名を前記タイトル名入力・修正装置の側へ出力し、タイトル名メモリに記憶させるコントローラと、
　所定時に前記トラック別タイトル名記憶用メモリに記憶された複数トラックのタイトル名をディスク記録媒体に記録するタイトル名記録手段と、
　を備えたこと、
　を特徴とするディスク記録システム。
【請求項２】　請求項１記載のディスク記録システムにおけるディスク記録装置。
【請求項３】　請求項１記載のディスク記録システムにおけるタイトル名入力・修正
装置。
【請求項４】　トラック別の記録情報をトラック別のタイトル名とともにディスク記録媒体に記録するディスク記録装置であって、
　前記ディスク記録媒体から読み出したトラック別のタイトル名が記憶され、タイトル名
が入力・修正された場合には外部のタイトル名入力・修正装置から出力された入力・修正
後のトラック別のタイトル名を記憶するトラック別タイトル名記憶用メモリと、
　前記タイトル名入力・修正装置によるタイトル名の入力・修正操作に先立って、前記ディスク記録媒体から読み出して前記トラック別タイトル名記憶用メモリに記憶されたトラック別のタイトル名を外部のタイトル名入力・修正装置の側へ出力しタイトル名メモリに記憶させたり、外部のタイトル名入力・修正装置から入力したタイトル別のタイトル名をトラック別タイトル名記憶用メモリに記憶させるコントローラと、
　前記トラック別タイトル名記憶用メモリに記憶された複数トラックのタイトル名をディスク記録媒体に記録するタイトル名記録手段と、
　を備えたことを特徴とするディスク記録装置。
【請求項５】　トラック別の記録情報をトラック別のタイトル名とともに記録するディスク記録媒体を対象として、トラック別のタイトル名の入力・修正をするタイトル名入力・修正装置であって、
　トラック別のタイトル名の入力・修正操作をするキーボードと、
　キーボードにより入力・修正されたタイトル名を記憶するタイトル名メモリと、
　前記タイトル名メモリに記憶されたトラック別のタイトル名を少なくとも複数一覧表示する表示部と、
　外部のディスク記録装置がディスク記録媒体から読み出し、トラック別タイトル名記憶用メモリに記憶したトラック別のタイトル名を入力してタイトル名メモリに記憶させたり、タイトル名の入力・修正後にタイトル名メモリに記憶されたトラック別のタイトル名をディスク記録装置の側へ出力したりする処理部と、
　を備えたことを特徴とするタイトル名入力・修正装置。」
とあったものを、　
　
「【請求項１】
　トラック別の記録情報をトラック別のタイトル名とともにディスク記録媒体に記録するディスク記録装置と、タイトル名を入力・修正するタイトル名入力・修正装置とからなるディスク記録システムであって、
　前記タイトル名入力・修正装置は、
　トラック別のタイトル名の入力・修正操作をするキーボードと、
　キーボードにより入力・修正されたタイトル名を記憶するタイトル名メモリと　、
　前記タイトル名メモリに記憶されたトラック別のタイトル名を少なくとも複数一覧表示する表示部と、
　ディスク記録装置の側から入力されたトラック別のタイトル名をタイトル名メモリに記憶させたり、タイトル名の入力・修正後にタイトル名メモリに記憶されたトラック別のタイトル名をディスク記録装置の側へ出力したりする処理部と、
　を備え、
　前記ディスク記録装置は、
　前記ディスク記録媒体から読み出したトラック別のタイトル名が記憶され、タイトル名が入力・修正された場合には前記タイトル名入力・修正装置から出力された入力・修正後のトラック別のタイトル名を記憶するトラック別タイトル名記憶用メモリと、
　前記タイトル名入力・修正装置によるタイトル名の入力・修正操作に先立って、前記ディスク記録媒体から読み出して前記トラック別タイトル名記憶用メモリに記憶されたトラック別のタイトル名を前記タイトル名入力・修正装置の側へ出力し、タイトル名メモリに記憶させるコントローラと、
　
情報記録操作に従い、トラック単位で記録情報を追加してディスク記録媒体に記録する記録部と、
　
所定時に前記トラック別タイトル名記憶用メモリに記憶された内、ディスク記録媒体に既記録の複数トラックのタイトル名をディスク記録媒体に記録するタイトル名記録手段と、
　を備えたこと、
　を特徴とするディスク記録システム。
【請求項２】　請求項１記載のディスク記録システムにおけるディスク記録装置。
【請求項３】　請求項１記載のディスク記録システムにおけるタイトル名入力・修正装置。
【請求項４】　トラック別の記録情報をトラック別のタイトル名とともにディスク記録媒体に記録するディスク記録装置であって、
　前記ディスク記録媒体から読み出したトラック別のタイトル名が記憶され、タイトル名が入力・修正された場合には外部のタイトル名入力・修正装置から出力された入力・修正後のトラック別のタイトル名を記憶するトラック別タイトル名記憶用メモリと、
　前記タイトル名入力・修正装置によるタイトル名の入力・修正操作に先立って、前記ディスク記録媒体から読み出して前記トラック別タイトル名記憶用メモリに記憶されたトラック別のタイトル名を外部のタイトル名入力・修正装置の側へ出力しタイトル名メモリに記憶させたり、外部のタイトル名入力・修正装置から入力したタイトル別のタイトル名をトラック別タイトル名記憶用メモリに記憶させるコントローラと、
　
情報記録操作に従い、トラック単位で記録情報を追加してディスク記録媒体に記録する記録部と、
　
所定時に前記トラック別タイトル名記憶用メモリに記憶された内、ディスク記録媒体に既記録の複数トラックのタイトル名をディスク記録媒体に記録するタイトル名記録手段と、
　を備えたことを特徴とするディスク記録装置。」
と補正しようとするものである。
　
　すると、本件補正は、補正前の請求項５を削除するとともに、補正前の請求項１及び４において、ディスク記録装置の構成について、補正前の
「前記トラック別タイトル名記憶用メモリに記憶された複数トラックのタイトル名をディスク記録媒体に記録するタイトル名記録手段」を、
「
情報記録操作に従い、トラック単位で記録情報を追加してディスク記録媒体に記録する記録部
　
所定時に前記トラック別タイトル名記憶用メモリに記憶された内、ディスク記録媒体に既記録の複数トラックのタイトル名をディスク記録媒体に記録するタイトル名記録手段
　
　そこで、本件補正後における特許請求の範囲に記載されている事項により特定される発明が特許出願の際独立して特許を受けることができるものであるか（平成１８年法律第５５号改正附則第３条第１項によりなお従前の例によるとされる同法による改正前の特許法第１７条の２第５項で準用する同法第１２６条第５項に規定する要件を満たすか）否かを、請求項４に係る発明（以下、「本願補正発明」という。）について、以下に検討する。
　
２．引用例
（１）引用例１
　原査定の拒絶の理由に引用された特開平６−１７６５５１号公報（以下、「引用例１」という）には、図面とともに以下の技術事項が記載されている。なお、下線は当審で付した。
　
（ａ）「【請求項１】　ミニ・ディスクのユーザズトック情報を記憶するＲＡＭの他にユーザズトック操作を行うための作業データ、仮想実行結果データおよび再生レベルを記憶するＲＡＭ、および画像処理装置を設け、ユーザズトックの実情報、仮想情報、および再生レベルをグラフックディスプレーに表示し、また、グラフックディスプレーの表示を利用してユーザズトック操作をすることを可能としたミニ・ディスク記録再生装置。」
　
（ｂ）「【０００８】
【課題を解決するための手段】この発明のミニ・ディスク記録再生装置は、ミニ・ディスクのユーザズトック情報を記憶するＲＡＭの他にユーザズトック操作を行うための作業データ、仮想実行結果データおよび再生レベルを記憶するＲＡＭ、および画像処理装置を設け、ユーザズトックの実情報、仮想情報、および再生レベルをグラフックディスプレーに表示し、また、グラフックディスプレーの表示を利用してユーザズトック操作をすることを可能としたものである。
【０００９】
【作用】書換え可能な光磁気ディスクとして知られているミニ・ディスク（ＭＤ）では内周側のピット情報記録エリア（ＴＯＣ）の外側にレコーダブル・エリアが設けられている。
レコーダブル・エリアにはユーザズトックエリア（Ｕ−ＴＯＣ）とプログラムエリアがあり
　
（ｃ）「【００１２】
記録位置の管理はＵ−ＴＯＣに記録された情報により行われる。プログラムエリアの記録には各曲毎にトラックナンバー（ＴＮＯ）が１から始まる連続自然数として付され各ＴＮＯ毎に開始時間、終了時間、タイトル等の情報が記録されている。
【００１３】
ディスクが装置にローディングされるとＵ−ＴＯＣ情報が読み出され、そのデータが装置のＲＡＭに記憶され、それ以降はＲＡＭに記憶されているＵ−ＴＯＣ情報により記録再生の管理が行われる。各曲の記録や消去が行われるとＲＡＭの記憶内容が換えられ、その記憶情報はディスクを装置から取り出す前にディスクのＵ−ＴＯＣに記録される。
【００１４】このように、ディスクの管理情報はユーザズトック情報として装置のＲＡＭに記憶され、その記憶データを変更することにより、ディスクのＴＮＯの変更や消去が可能であるが、この発明のミニ・ディスク記録再生装置によれば、ユーザズトック内容変更操作の仮想実行結果データはＲＡＭに記憶され、画像処理装置によりグラフック表示のビデオ信号とされてグラフックディスプレーに表示されるので操作ミスが防止される。」
　
（ｄ）「【００１７】このミニ・ディスク記録再生装置は図１（ａ）に示すように、
ミニ・ディスク記録再生装置本体１にキー入力装置２、マウス３およびグラフックディスプレイ４
【００１８】さらに、図１（ｂ）に詳しく示されるように、ミ
ニ・ディスク記録再生装置本体はミニ・ディスク記録再生ユニット９、コントローラ５、トックデータ記憶用ＲＡＭ６、作業データ記憶用ＲＡＭ７および画像処理装置８により構成されており、キー入力装置２からの指令に従ってコントローラ５がミニ・ディスク記録再生ユニット９を動作させ、ディスクのＴＯＣ、Ｕ−ＴＯＣの読取りやディスクの記録再生が行われる。
【００１９】
ディスクから読み取られたＴＯＣ、Ｕ−ＴＯＣのデータとしては
ディスクネーム、トラックネーム、録音日時分秒、リンクポインタ（アドレス接続情報）があり、これらのデータはトックデータ記憶用ＲＡＭ６に記憶される
【００２０】
トックデータ記憶用ＲＡＭ６に記憶された内容はキー入力装置２またはマウス３を操作することにより作業データ記憶用ＲＡＭ７を用いながら変更することができる。トックデータ記憶用ＲＡＭ６の記憶データや作業データ記憶用ＲＡＭ７に記憶された変更途中のデータは画像処理装置８により映像信号に変換されグラフックディスプレイ４に表示される
　
（ｅ）「【００３１】ＴＮＯの設定途中に図１１に示す実行想定画面に切換えることにより設定後の状態を把握しながら作業が進められ、
実行コマンドを入力することにより作業データ記憶用ＲＡＭのデータがトックデータ記憶用ＲＡＭに書き移されて新しいＴＮＯの設定が終了する
　
（ｆ）「【００４３】図２０はこの発明のさらに他の実施例を示す。この場合は
ミニ・ディスク記録再生装置に設けられたデータインターフェースにパソコンの入出力端子を接続して、パソコンに作動ソフト（フロッピーディスク記憶データ）を入力することにより、パソコンのキーボードとディスプレイを用いて作業を行うことができる
　
　上記引用例記載事項及び図面の記載を総合勘案すると、引用例には、結局、次の発明が記載されている（以下、「引用発明」という。）。
　
「ミニ・ディスク記録再生ユニット、コントローラ、トックデータ記憶用ＲＡＭ、作業データ記憶用ＲＡＭ及び画像処理装置により構成されるミニディスク記録再生装置であって、
　ミニ・ディスク記録再生装置には、マウスの接続されたキー入力装置及びディスプレイ、またはキー入力装置及びディスプレイを備えたパソコンなどを接続することができ、
　前記キー入力装置又はパソコンからの指令に従ってコントローラがミニ・ディスク記録再生ユニットを動作させ、ディスクのＴＯＣ、Ｕ−ＴＯＣの読取りやディスクの記録再生が行われ、
　ミニディスク（ＭＤ）のユーザズトックエリア（Ｕ−ＴＯＣ）には、各曲毎に付された各トラックナンバー（ＴＮＯ）毎に開始時間、終了時間、タイトル等の情報が記録され、
　ディスクから読み取られたＵ−ＴＯＣ中の、トラック（スタートアドレス、エンドアドレス）、ディスクネーム、トラックネーム等のデータはトックデータ記憶用ＲＡＭに記憶され、
　トックデータ記憶用ＲＡＭに記憶された内容はキー入力装置またはマウスを操作することにより作業データ記憶用ＲＡＭを用いながら変更することができ、
　実行コマンドを入力することにより作業データ記憶用ＲＡＭのデータがトックデータ記憶用ＲＡＭに書き移され、
　ディスクを装置から取り出す前にディスクのＵ−ＴＯＣに記録されるようにして、トラックネームを含むＵ−ＴＯＣの内容を操作することができるようにした、
　ミニ・ディスク記録再生装置。」
　
（２）引用例２
　同じく原査定の拒絶の理由に引用された特開平３−１７７１７８号公報（以下、「引用例２」という。）には、図面とともに以下の技術事項が記載されている。
　
（ｇ）「１４はＶＴＲ１と接続されたパソコンで、入力装置たるキーボード１５、ディスク記憶装置などの外部記憶装置１６、ＣＲＴデイスプレィなどの表示装置１７が付設されている。上記パソコン１４は、読み込まれる各種ソフトによる処理が実行可能で、該パソコン１４をタイトル作成、修正のための入力手段として用いる時には、望ましくは文字入力・選択の操作が容易なソフトが選ばれる。」（４頁右上欄７行〜１４行）
　
（ｈ）「上記したパソコン１４側のキーボード１５による文字入力は、ユーザーにとって馴染みのある使い馴れたキー操作によってなされるため、文字入力の操作性が極めて良好なものとなる。」（５頁右上欄９行〜１２行）
　
（ｉ）「なお、上述した例ではＶＴＲ１とパソコン１４とが接続通信モードとされた状態で、キーボード１５によって文字入力操作を行うようにしているが、パソコン１４をＶＴＲ１側と切り離した状態で、パソコン１４側単独でタイトル画データの作成或いは修正を行い、こうして作成・修正され記憶手段に保持されたタイトル画データを、後でＶＴＲ１側に送出するようにしても良い。」（６頁左上欄１１行〜１８行）
　
３．対比
　本願補正発明を、引用発明と比較する。
　引用発明の「ミニ・ディスク記録再生装置」は、本願補正発明の「ディスク記録装置」に相当する。
　引用発明における「各曲」、「トラックネーム」及び「ミニ・ディスク」は、それぞれ本願補正発明における「トラック別の記録情報」、「トラック別のタイトル名」及び「ディスク記録媒体」に相当する。
　引用発明における「作業データ記憶用ＲＡＭ」は、ディスクから読み取られたＵＴＯＣデータの内容を変更するために使用されるもので前記内容の変更には、当該内容を記憶することが自明であり、また、前記ＵＴＯＣデータには、トラックネームが含まれるのであるから、トラックネームを変更する場合で比較すると「ディスク記録媒体から読み出したトラック別のタイトル名が記憶され、タイトル名が入力・修正された場合には」「入力・修正後のトラック別のタイトル名を記憶する」点において本願補正発明の「トラック別タイトル名記憶メモリ」と共通する。
　引用発明において、ディスクからＵ−ＴＯＣを読み取り、トックデータ記憶用ＲＡＭに記憶し、作業用データＲＡＭを用いて変更し、変更されたデータをトックデータ記憶用ＲＡＭに書き移す等の機能はコントローラによることが明らかであるから、引用発明と本願補正発明との「コントローラ」は、
「タイトル名入力・修正装置によるタイトル名の入力・修正操作に先立って、前記ディスク記録媒体から読み出して前記トラック別タイトル名記憶用メモリに記憶されたトラック別のタイトル名を外部のタイトル名入力・修正装置の側へ出力しタイトル名メモリに記憶させたり、外部のタイトル名入力・修正装置から入力したタイトル別（当審注：「トラック別」の誤記と判断）のタイトル名をトラック別タイトル名記憶用メモリに記憶させる」機能において共通している。
　引用発明のミニ・ディスク記録再生装置は、録音操作ができるのは自明であって、「各曲毎に付された各トラックナンバー（ＴＮＯ）毎に開始時間、終了時間、タイトル等の情報が記録され」るもので、本願補正発明の「
情報記録操作に従い、トラック単位で記録情報を追加してディスク記録媒体に記録する記録部
　引用発明は「実行コマンドを入力することにより作業データ記憶用ＲＡＭのデータがトックデータ記憶用ＲＡＭに書き移され、
　ディスクを装置から取り出す前にディスクのＵ−ＴＯＣに記録される」
と、作業データ記憶用ＲＡＭの内容はトックデータ記憶用ＲＡＭ及び最終的にはディスクのＵ−ＴＯＣに記録されることが明らかで、また、Ｕ−ＴＯＣには複数の曲が含まれ、当該複数の曲について編集作業を行いうることは当然であるから、本願補正発明の「
所定時に前記トラック別タイトル名記憶用メモリに記憶された
複数トラックのタイトル名をディスク記録媒体に記録するタイトル名記録手段
　
　すると、本願補正発明と引用発明とは、次の＜一致点＞及び＜相違点＞を有する。
＜一致点＞
　トラック別の記録情報をトラック別のタイトル名とともにディスク記録媒体に記録するディスク記録装置であって、
　前記ディスク記録媒体から読み出したトラック別のタイトル名が記憶され、タイトル名が入力・修正された場合には入力・修正後のトラック別のタイトル名を記憶するトラック別タイトル名記憶用メモリと、
　前記タイトル名の入力・修正操作に先立って、前記ディスク記録媒体から読み出して前記トラック別タイトル名記憶用メモリに記憶されたトラック別のタイトル名を出力したり、入力したタイトル別のタイトル名をトラック別タイトル名記憶用メモリに記憶させるコントローラと、
　情報記録操作に従い、トラック単位で記録情報を追加してディスク記録媒体に記録する記録部と、
　所定時に前記トラック別タイトル名記憶用メモリに記憶された複数トラックのタイトル名をディスク記録媒体に記録するタイトル名記録手段と、
　を備えたことを特徴とするディスク記録装置。
　
＜相違点＞
（相違点１）
　本願補正発明のディスク記録装置は、「外部のタイトル名入力・修正装置」とともに用いられ、タイトル名の入力・修正操作は、前記タイトル名入力・修正装置によるものであり、入力・修正後のトラック別のタイトル名は、タイトル名入力・修正装置から出力され、トラック別のタイトル名を外部のタイトル名入力・修正装置の側へ出力しタイトル名メモリに記憶させ、　外部のタイトル名入力・修正装置から入力したタイトル別のタイトル名をトラック別タイトル名記憶用メモリに記憶させるのに対し、引用発明では、これらの特定事項がない点。
（相違点２）
　本願補正発明では、「前記トラック別タイトル名記憶用メモリに記憶された内、ディスク記録媒体に既記録の複数トラックのタイトル名をディスク記録媒体に記録するタイトル名記録手段」を備えるのに対し、引用発明では、「ディスク媒体に既記録」のタイトル名との特定がない点。
　
４．判断
１）相違点１について
　引用発明は、「キー入力装置及びディスプレイを備えたパソコンなどを接続することができ」るものである（引用例１の【００４３】段落及び図２０の実施例に基づく。）。
　また、引用例２には、ＶＴＲ用のタイトル作成において、文字データの入力手段として、パソコンを接続し当該パソコンのキーボードを用いてＶＴＲ側の文字データメモリに逐次又はまとめて入力することが記載されている。
　パソコンが内部メモリ、外部記憶装置等の記憶手段を有することは技術常識であり、したがって、パソコンの文字データ入力・編集機能を用いるようにディスク記録装置に接続することにより「外部のタイトル名入力・修正装置」とすることは、引用発明自体、引用例２に記載された発明、及び前記技術常識から当業者が容易に想到しうるものである。パソコンを「外部のタイトル名入力・修正装置」として用いることにより、タイトル名の入力・修正操作を当該パソコンにより行うことは当然である。
　また、パソコンによりタイトルを編集する場合には、前記のようにパソコン自身が有する内部メモリ等の記憶手段にデータを出力するとともに、入力・修正後に当該パソコンの記憶手段からディスク記録装置にデータを出力させることも当然で、その場合のパソコン内部の記憶手段は本願補正発明の「タイトル名メモリ」に相当するものとなるから、ディスク記録装置のコントローラが、パソコンによるタイトル名の入力・修正操作に先立って、前記ディスク記録媒体から読み出して記憶されたトラック別のタイトル名を前記パソコンの側へ出力し、パソコンの記憶手段（タイトル名メモリ）に記憶させたり、前記パソコンから入力したトラック別のタイトル名を作業データ記憶用ＲＡＭに記憶させることも、当業者が容易に想到しうるものである。
　
２）相違点２について
　拒絶査定の際に示した周知例である特開平６−３０９８５３号公報に記載された発明は、ミニディスク記録装置に関するするもので、【０００９】【００８５】【００８６】を参照すると明らかなように、Ｕ−ＴＯＣセクター０から、実際に記録された最後の楽曲が判別できることから、タイトルとして記憶されているデータの内から、「既記録の複数トラック」のタイトル名をミニディスクに書き込むようにしたものである。上記周知例は、引用例１と同様、ミニディスクシステムを前提とするものであって、Ｕ−ＴＯＣセクターの構成等は引用例１と共通であるから、引用発明においても、Ｕ−ＴＯＣセクター０から実際に記録された最後の楽曲が判別できるのは当然であって、作業データ記憶用ＲＡＭに入力されたタイトル名の内、「既記録の複数トラック」のタイトル名をディスクに書き込むようにすることは当業者が容易に想到しうるものである。
　
　また、上記各相違点により本願補正発明が奏する作用効果についても、各引用発明及び周知例から当業者が当然予測しうるものであるから、上記各相違点は格別なものではなく、本願補正発明は、各引用発明に記載された発明及び周知事項に基づいて当業者が容易に発明をすることができたものである。
　
５．本件補正についての結び
　以上のとおり、本願補正発明は、特許法第２９条第２項の規定により、特許出願の際独立して特許を受けることができないものであるから、本件補正は、平成１８年法律第５５号改正附則第３条第１項によりなお従前の例によるとされる同法による改正前の特許法第１７条の２第５項で準用する同法第１２６条第５項に規定する要件を満たさないものであり、同法第１５９条第１項で読み替えて準用する同法第５３条第１項の規定により却下すべきものである。
　
　
第３　本願発明について
１．本願発明
　平成１８年１月２６日付けの手続補正は上記のとおり却下されたので、本願の請求項４に係る発明（以下、「本願発明」という。）は、平成１７年６月１３日付けで手続補正された明細書の、特許請求の範囲の請求項４に記載されたとおりのものであるところ、本願発明は、上記「第２　〔理由〕１．」に、本件補正前の請求項４として掲げたとおりである。
　
２．引用例
　原査定の拒絶の理由で引用された引用例及びその記載事項は、前記「第２　２．」に記載したとおりである。
　
３．対比・判断
　本願発明は、上記「第２」で検討した本願補正発明から、
「
情報記録操作に従い、トラック単位で記録情報を追加してディスク記録媒体に記録する記録部
　
所定時に前記トラック別タイトル名記憶用メモリに記憶された内、ディスク記録媒体に既記録の複数トラックのタイトル名をディスク記録媒体に記録するタイトル名記録手段
「前記トラック別タイトル名記憶用メモリに記憶された複数トラックのタイトル名をディスク記録媒体に記録するタイトル名記録手段」
と限定を削除したものに相当する。
　
　そうすると、本願発明の特定事項を全て含み、更に他の特定事項を付加したものに相当する本願補正発明が前記「第２　〔理　由〕　４．判断」に示したとおり、各引用例に記載された発明及び周知事項に基づいて、当業者が容易に発明をすることができたものであるから、本願発明も、同様の理由により、引用発明及び周知事項に基づいて当業者が容易に発明をすることができたものである。
　
４．むすび
　以上のとおり、本願の請求項４に係る発明は、特許法第２９条第２項の規定により特許を受けることができないものであるから、その余の請求項に論及するまでもなく、本願は拒絶すべきものである。
　よって、結論のとおり審決する。